(57)【要約】【課題】パソコンに装着する無線装置の突出距離を短縮して損傷を防止する。【解決手段】パソコン２６のＵＳＢ（ＵＮＩＶＥＲＳＡＬ  ＳＥＲＩＡＬ  ＢＵＳ）  ポート２７等に装着する無線装置１の装着部３と本体２とを回動自在に枢着し、且つ、任意の角度に停止できるように構成する。そして、前記本体２内部に前記アンテナ部２５を配設し、前記装着部３をパソコン２６等に装着して前記アンテナ部２５を適正な角度に調整できるように構成する。【選択図】  図９
2004227277.tif 000002
【特許請求の範囲】
【請求項１】
パソコンのＵＳＢ（ＵＮＩＶＥＲＳＡＬ  ＳＥＲＩＡＬ  ＢＵＳ）  ポート等に装着する装着部と、データを送受信するアンテナ部とを備えた無線装置に於いて、該装着部と本体とを回動自在に枢着し、且つ、任意の角度に停止できるように構成したことを特徴とする無線装置。
【請求項２】
前記本体内部に前記アンテナ部を配設し、前記装着部をパソコン等に装着して前記アンテナ部を最適な角度に調整できるように構成したことを特徴とする請求項１記載の無線装置。
【発明の詳細な説明】
【０００１】
【発明の属する技術分野】
本発明は、パソコン等に装着する無線装置に関するものであり、特に、パソコンから突出する長さを短縮して破損を防止する無線装置に関するものである。
【０００２】
【従来の技術】
従来此種無線装置は、本体にパソコンに接続するＵＳＢ等のインターフェイスが装着部に設けられ、該装着部をパソコンに接続できるように構成している。更に、該無線装置本体にはアンテナが設けられ、該無線装置にて該無線装置を装着したパソコンと他の電子機器とによってデータの送受信ができるように構成されている（例えば、実用新案文献１参照）。
【０００３】
また、ＵＳＢポートを採用した電子機器が提案されている。該電子機器の本体にはＵＳＢポートが設けられ、更に、該本体内に例えば、メモリ機能を搭載した回路基板が内装されている。而して、当該電子機器のＵＳＢポートをパソコンのＵＳＢポートに接続することにより、該電子機器にパソコンのデータを保存することができる（例えば、実用新案文献２参照）。
【０００４】
【実用新案文献１】
実願２００２−１１９７
【０００５】
【実用新案文献２】
実願２００２−１９３８
【０００６】
【発明が解決しようとする課題】
上述した従来の無線装置はＵＳＢポートをパソコンに接続して無線にてデータの送受信をできるように構成している。また、電子機器はＵＳＢポートをパソコンに接続して該電子機器にデータの保存ができるように構成されている。
【０００７】
しかし、ＵＳＢポートをパソコンに接続した際には、無線装置及び電子機器の本体が該パソコンより大きく突出して装着されるので、外衝により該無線装置や電子機器が損傷することがある。
【０００８】
そこで、ＵＳＢ等のポートでパソコンに装着する無線装置が装着すべきパソコン等より突出する距離を短縮して該無線装置の損傷を防止するために解決すべき技術的課題が生じてくるのであり、本発明は該課題を解決することを目的とする。
【０００９】
【課題を解決するための手段】
本発明は、上記目的を達成するために提案されたものであり、パソコンのＵＳＢポート等に装着する装着部と、データを送受信するアンテナ部とを備えた無線装置に於いて、該装着部と本体とを回動自在に枢着し、且つ、任意の角度に保持できるように構成した無線装置、及び、前記本体内部に前記アンテナ部を配設し、前記装着部をパソコン等に装着して前記アンテナ部を最適な角度に調整できるように構成した無線装置を提供するものである。
【００１０】
【発明の実施の形態】
以下、この発明の一実施の形態を図１乃至図９に従って詳述する。図に於いて１は本発明の無線装置であり、パソコン等に装着され、Ｂｌｕｅｔｏｏｔｈと称される無線通信規格にてデータの送受信を為すように構成されている。該無線装置１は、図１及び図２に示すように本体２と装着部３とから構成され、該装着部３にＵＳＢインターフェイス４が設けられている。そして、該ＵＳＢインターフェイス４を後述するパソコンのＵＳＢポートに挿入して該無線装置１を該パソコンに装着できるように構成されている。
【００１１】
又、該無線装置１の本体２は、ロアケース５とアッパーケース６とから成り、該ロアケース５の周縁部にアッパーケース６の周縁部を合着して該アッパーケース６をロアケース５に被着することにより、該無線装置１の本体２が構成される。更に、該無線装置１の装着部３は、前方ロアケース７と前方アッパーケース８とから成り、該前方ロアケース７の周縁部に前方アッパーケース８の周縁部を合着して該前方アッパーケース８を前方ロアケース７に被着することにより該無線装置１の装着部３が構成される。
【００１２】
而して、前記無線装置１の本体２の前記ロアケース５は、図３乃至図５に示すように、前部の左右両側部（図３に於いて左側部の上下両端部）に略円盤状の軸受けハウス９，９が形成されている。更に、該軸受けハウス９，９と中央部との間には、方形状の切欠部１０，１１を設けている。更に又、該ロアケース５の前方中央部５ａは軸受けハウス９，９に沿って前方部位を底面から上方へ向って湾曲させて突設している。
【００１３】
又、該ロアケース５の前方中央部５ａ上の部位にはスプリング取付部１２を形成し、該スプリング取付部１２に図８に示すコイルスプリング１３を収容できるように構成されている。更に、該スプリング取付部１２と左側部（図８に於いて下側）の軸受けハウス９との間には前方を前記切欠部１１に突設した可動壁体１４が立設されている。そして、該可動壁体１４の前部は側面視略円形に形成されると共に、外側面下部前方に略方形状の凸面１５及び外側面下部後方に扇状の凸面１６が形成されている。該方形状の凸面１５は０．２ｍｍ突設され、扇状の凸面１６は０．１ｍｍ突設されている。
【００１４】
一方、図６及び図７に示すように、前記前方ロアケース７の後部左右両側（図６に於いて右側の上下）には支持片１７，１８が底面より立設され、更に、後方へ向って延設されており、該支持片１７，１８の後部外側面に円盤状の回転軸１９，１９を一体形成している。更に、左側（図６に於いて下側）の支持片１８の後方には方形状の凹面２０，２１が形成されている。凹面２０は回転軸１９の中心より後方下部に形成され、且つ、０．２ｍｍ凹設されている。又、該凹面２１は回転軸１９の中心より前方下部に形成され、０．１ｍｍ凹設されている。更に、前記前方ロアケース７の後方右側部には、底面より右側の支持片１７に沿って延設部２２が形成されており、且つ、該延設部２２は後縁部を回転軸１９に沿って上方へ湾曲形成されている。
【００１５】
而して、前記ロアケース５のスプリング取付部１２にコイルスプリング１３を収容した後、図３乃至図８に示すように、前方ロアケース７を本体２のロアケース５に装着する際には、前記軸受けハウス９，９の後方より前方ロアケース７の回転軸１９，１９を圧入すれば、該軸受けハウス９，９の切欠部（図示せず）を介して該回転軸１９，１９が軸受けハウス９，９に遊嵌される。従って、該ロアケース５に対して前方ロアケース７が回動自在に枢着される。
【００１６】
このとき、前方ロアケース７の延設部２２が前記ロアケース５の切欠部１０に遊嵌する。更に又、前記可動壁体１４と右側の軸受けハウス９との間に前記前方ロアケース７の支持片１８が挿入される。そして、前記コイルスプリング１３の付勢により、該ロアケース５の可動壁体１４の外側面と前方ロアケース７の支持片１８の内側面とが圧接するので、前記本体２に対して装着部３を回動した際には、該圧接力により該本体２と装着部３とを任意の角度にて停止することができる。
【００１７】
而して、前記前方ロアケース７には、ＵＳＢインターフェイス４及び回路基板２３が装着され、前記ロアケース５には回路基板２４が取付けられ、そして、該回路基板２４にアンテナ部２５が取付けられる。然る後、前記アッパーケース６を前記前方ロアケース７に嵌合し、更に、前方アッパーケース８を前方ロアケース７に嵌合すれば、本体２に対して装着部３が回動自在に枢着されて前記無線装置１が形成される。斯くの如く、形成された該無線装置１の装着部３をパソコン２６のＵＳＢポート２７に挿入すれば、図９に示すように該無線装置１を介してパソコン２６のデータの送受信が可能となる。
【００１８】
又、該無線装置１の本体２を上方に回動すれば、該無線装置１がパソコン２６より突出する距離を短縮することができるので、外衝等によって該無線装置１が損傷するようなことは可及的に防止されることができる。更に、該無線装置１の本体２には、アンテナ部２５を取付けているので該本体２を回動して最適な角度に停止することにより、良好なる無線感度を得ることができる。
【００１９】
一方、該本体２を前記装着部３と水平の角度にした際には、前記凸面１５，１６と凹面２０，２１とが圧接し乍ら係止するので、該凸面１５，１６と凹面２０，２１とが相互にカム機構を形成して本体２の適正な傾斜角度を得ることができる。
【００２０】
尚、本発明は、本発明の精神を逸脱しない限り種々の改変を為すことができ、そして、本発明が該改変されたものに及ぶことは当然である。
【００２１】
【発明の効果】
この発明は、上記一実施の形態にて詳述したように、請求項１記載の発明は、無線装置の本体と装着部とを回動自在に形成し、且つ、任意の角度にて停止できるように構成しているので、パソコンのポートに該装着部を挿入して本体を回動することにより、該パソコンより突出する距離を短縮することができる。従って、外衝等による無線装置の損傷が可及的に防止されることができる。
【００２２】
又、請求項２記載の発明は、回動する本体にアンテナ部を設けているので、該本体を回動して最適な角度にて停止することにより、無線装置の良好なる無線感度を得ることができる。斯くして、請求項２記載の発明は請求項１記載の発明の効果に加え、パソコン等のデータを効率良く送受信することが可能となる。
【図面の簡単な説明】
【図１】本発明の一実施の形態を示し、無線装置の平面図。
【図２】図１に示す無線装置の側面図。
【図３】ロアケースの平面図。
【図４】図３に示すロアケースの要部の拡大断面図。
【図５】図３の一部切欠Ａ−Ａ面拡大矢視図。
【図６】前方ロアケースの平面図。
【図７】図６の一部切欠Ｂ−Ｂ面拡大矢視図。
【図８】前方ロアケースを本体のロアケースに装着した状態を示す平面図。
【図９】無線装置の本体を上方へ回動した状態の側面図。
【符号の説明】
１          無線装置
２          本体
３          装着部
２５          アンテナ部
２６          パソコン
２７          ＵＳＢポート
【図１】
2004227277.tif 000003
【図２】
2004227277.tif 000004
【図３】
2004227277.tif 000005
【図４】
2004227277.tif 000006
【図５】
2004227277.tif 000007
【図６】
2004227277.tif 000008
【図７】
2004227277.tif 000009
【図８】
2004227277.tif 000010
【図９】
2004227277.tif 000011